(57)【要約】      （修正有）【課題】行動が不自由な者が車椅子やベッドの上で直接排尿、排便が可能な介護パンツを提供する。【解決手段】介護パンツは、２つの股下の内側の隣接する箇所にＵ型開口部１３が設けられ、２本の前位置決めバンド２０及び後位置決めバンド３０がウエストバンドの前側及び後側にそれぞれ設置される。２本の前管体４０及び後管体５０が２本の前位置決めバンド及び後位置決めバンドの下方に設けられる。防水性を有するマスク６０の上端部がパンツ本体に固定され、且つ下端部はＵ型開口部の前方に位置する。可動の柔らかい遮蔽部７０がＵ型開口部の下方に対応するように設置され、前端は２本の弾性バンド７１に連結され、自由端は前管体を挿通し前位置決めバンドに定位され、後端は２つのゴムバンド７２に連結され後管体及び後位置決めバンドのガイドリングを挿通する。遮蔽部が後ろに向けて移動されると排泄可能な状態となり、且つ弾性バンドにより遮蔽部が戻される。【選択図】図３
0003208916.tif 000002
【実用新案登録請求の範囲】
【請求項１】
ウエストバンドと、前記ウエストバンドに連接する２つの股下と、を備え、且つ前記２つの股下の内側に隣接する箇所に位置すると共に前側面から後にかけて排泄に用いられるＵ型開口部が設けられるパンツ本体と、
前記ウエストバンドの前側に設置され、前位置決め孔が形成される２本の前位置決めバンドと、
前記ウエストバンドの後側に設置され、後位置決め孔及びガイドリングを有する２本の後位置決めバンドと、
前記２本の前位置決めバンドの下方に対応するように設置され、上端は前記パンツ本体に縫い付けられて固定され、下端は前記Ｕ型開口部の前方の両側に位置され且つ持ち上げ可能な２本の前管体と、
前記２本の後位置決めバンドの下方に対応するように設置され、前記パンツ本体に縫い付けられて固定される２本の後管体と、
弧状体をなし、その上端部は前記パンツ本体に縫い付けられて固定され、下端部は前記Ｕ型開口部の前方に位置され且つ持ち上げ可能な防水性を有するマスクと、
前記Ｕ型開口部の下方に対応するように設置され、前端には２本の弾性バンドが連結され、前記弾性バンドの自由端は前記２本の前管体を挿通し、且つ前記２本の前位置決めバンドに定位され、また、後端には２本のゴムバンドが連結され、前記ゴムバンドの自由端は前記２本の後管体及び前記後位置決めバンドのガイドリングを挿通した後、それぞれ傾斜されて上に向けて前記ウエストバンドの両側まで引かれて定位される可動の柔らかい遮蔽部と、
通気材質で構成され、前記パンツ本体の後側の臀部の位置に縫い付けられ、且つ前記柔らかい遮蔽部の両側に位置し、前記柔らかい遮蔽部の底縁にギャップが形成される２つのパッドと、
を備え、前記２本のゴムバンドが後ろに引かれたとき、前記柔らかい遮蔽部が前記Ｕ型開口部から後ろに向けて移動し、前記パンツ本体が使用者の排泄に使用できる状態となり、且つ前記２本のゴムバンドが解放された後、前記２本の弾性バンドの弾力により、前記柔らかい遮蔽部が引かれて後から前に向けて前記Ｕ型開口部の下方に戻ることを特徴とする排尿、排便が可能な介護パンツ。
【請求項２】
前記前位置決めバンドには調整用締め付けリングが更に設置され、前記弾性バンドの自由端が貫装されて定位され、且つ前記弾性バンドの締め付け具合が調整されることを特徴とする、請求項１に記載の排尿、排便が可能な介護パンツ。
【請求項３】
前記前位置決め孔及び前記後位置決め孔はボタンホールであることを特徴とする、請求項１または請求項２に記載の排尿、排便が可能な介護パンツ。
【請求項４】
前記ゴムバンドの自由端にはバインダークリップが更に設置され、
前記バインダークリップは位置決め布に固定され、前記位置決め布は面ファスナーまたはボタンホールにより使用者の衣服の両側に固定され、前記バインダークリップは上が広く下が狭くなると共に開口部が下に向けられる弾性クリップを有し、且つ前記弾性クリップの中間幅広部には貫通孔が設けられ、前記ゴムバンドが挿通されると共に弾性挟持力により前記ゴムバンドが挟まれて固定され、さらに前記バインダークリップは前記弾性クリップの外側に対称に設置される２つのハンドルを有し、前記ハンドルの上方が内に向けて圧縮されると、前記弾性クリップの開口部が開かれ、前記ゴムバンドに対する挟持力が解除されることを特徴とする、請求項１〜請求項３のうちいずれか一項に記載の排尿、排便が可能な介護パンツ。
【考案の詳細な説明】
【技術分野】
【０００１】
本考案は、介護パンツに関し、更に詳しくは、行動が不自由な者が車椅子の上で直接排泄が行える排尿、排便が可能な介護パンツに関する。
【背景技術】
【０００２】
高齢化に伴い、行動が不便な者にとって車椅子が移動手段として欠かせなくなっている。患者や高齢者はトイレが近い場合が多く、行動が不自由な者にとっては、移動せずに車椅子の上またはベッドで直接排尿、排便が行えると便利であった。このため、一部の車椅子またはベッドには排泄装置が直接搭載されている。例えば、図１Ａは従来の排尿、排便が可能な車椅子９０を示す外観斜視図であり、シート９１には排泄用孔９２が設けられ、且つ排泄用孔９２の下方には収容部９３が設けられる。また、図１Ｂは従来の他の排尿、排便が可能な車椅子９０を示す外観斜視図であり、臀部を自動的に洗浄する洗浄装置９４が更に増設されている。また、図１Ｃは従来の他の排尿、排便が可能なベッド１００を示す外観斜視図であり、これも本考案者が考案したものであり、マットレス１０１には排泄用孔１０２が設けられ、且つ排泄用孔１０２の下方には収容部１０３が設けられ、洗浄装置１０４も設置される。
【考案の概要】
【考案が解決しようとする課題】
【０００３】
しかしながら、前述した従来の技術では、すなわち、上述の車椅子９０またはベッド１００には排泄装置が搭載されるが、但し、使用者はズボンを脱いで排泄を行わなければならない。しかし、室外にいる場合、ズボンを脱ぐことは家族及び患者にとって非常に困難であった。
【０００４】
さらに、従来のズボンはウエストバンドと、ウエストバンドに連接する２つの股下と、前部ファスナーとを備え、使用者はウエストバンドから下に向けて前部ファスナーを開く。しかしながら、従来のズボンの前部ファスナーはクロッチまで開けないため、車椅子に座った行動が不自由な者がファスナーを開いて直接排尿、排便を行うことが困難であった。上述したように、従来の技術では、行動が不自由な者が排尿、排便を行う場合は非常に不便であった。そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものであり、その目的とするところは、排尿、排便が可能な介護パンツを提供することにある。すなわち、行動が不自由な者が車椅子またはベッドの上で直接排尿、排便が可能になる利便性を有する。
【課題を解決するための手段】
【０００６】
上述した課題を解決し、目的を達成するために、本考案に係る排尿、排便が可能な介護パンツは、
ウエストバンドと、前記ウエストバンドに連接する２つの股下と、を備え、且つ前記２つの股下の内側に隣接する箇所に位置すると共に前側面から後にかけて排泄に用いられるＵ型開口部が設けられるパンツ本体と、
前記ウエストバンドの前側に設置され、前位置決め孔が形成される２本の前位置決めバンドと、
前記ウエストバンドの後側に設置され、後位置決め孔及びガイドリングを有する２本の後位置決めバンドと、
前記２本の前位置決めバンドの下方に対応するように設置され、上端はパンツ本体に縫い付けられて固定され、下端は前記Ｕ型開口部の前方の両側に位置され且つ持ち上げ可能な２本の前管体と、
前記２本の後位置決めバンドの下方に対応するように設置され、パンツ本体に縫い付けられて固定される２本の後管体と、
弧状体をなし、その上端部は前記パンツ本体に縫い付けられて固定され、下端部は前記Ｕ型開口部の前方に位置され且つ持ち上げ可能な防水性を有するマスクと、
前記Ｕ型開口部の下方に対応するように設置され、前端には２本の弾性バンドが連結され、前記弾性バンドの自由端は前記２本の前管体を挿通し、且つ前記２本の前位置決めバンドに定位され、また、後端には２本のゴムバンドが連結され、前記ゴムバンドの自由端は前記２本の後管体及び前記後位置決めバンドのガイドリングを挿通した後、それぞれ傾斜されて上に向けて前記ウエストバンドの両側まで引かれて定位される可動の柔らかい遮蔽部と、
通気材質で構成され、前記パンツ本体の後側の臀部の位置に縫い付けられ、且つ前記柔らかい遮蔽部の両側に位置し、前記柔らかい遮蔽部の底縁にギャップが形成される２つのパッドと、
を備え、前記２本のゴムバンドが後ろに引かれたとき、前記柔らかい遮蔽部が前記Ｕ型開口部から後ろに向けて移動し、前記パンツ本体が使用者の排泄に使用できる状態となり、且つ前記２本のゴムバンドが解放された後、前記２本の弾性バンドの弾力により、前記柔らかい遮蔽部が引かれて後から前に向けて前記Ｕ型開口部の下方に戻ることを特徴とする。
【０００７】
本考案によれば、病人、老人、またはその介護者にとっての多く利便性を提供する。患者の尊厳が守られる上に利便性も向上し、且つ看護者や家族の負担も軽減し、人に優しい設計を有する介護パンツとなる。
【図面の簡単な説明】
【０００８】
【図１Ａ】従来の排尿、排便が可能な車椅子を示す外観斜視図である。
【図１Ｂ】従来の他の排尿、排便が可能な車椅子を示す外観斜視図である。
【図１Ｃ】従来の排尿、排便が可能なベッドを示す外観斜視図である。
【図２Ａ】本考案の第１実施形態による排尿、排便が可能な介護パンツを示す展開図である。
【図２Ｂ】本考案の第１実施形態による排尿、排便が可能な介護パンツの一部を示す展開図である。
【図３】本考案の第１実施形態による排尿、排便が可能な介護パンツを前から斜めに見た構成図である。
【図３Ａ】図３に示すマスクが持ち上げられる概略図である。
【図４】本考案の第１実施形態による排尿、排便が可能な介護パンツを後から斜めに見た構成図である。
【図４Ａ】図４に示すバインダークリップの部分を示す拡大図である。
【図５】本考案の柔らかい遮蔽部がＵ型開口部から離間される構成図である。
【図６】本考案のＵ型開口部が開かれた断面図である。
【図７】本考案が車椅子に使用される状態図である。
【図８】本考案がベッドに使用される状態図である。
【考案を実施するための形態】
【０００９】
以下に図面を参照して、本考案を実施するための形態について、詳細に説明する。なお、本考案は、以下に説明する実施形態に限定されるものではない。
【００１０】
（第１実施形態）
以下、本考案の実施形態を図２Ａ〜図７に基づいて説明する。まず、本考案の好ましい実施形態による介護パンツは、パンツ本体１０と、２本の前位置決めバンド２０と、２本の後位置決めバンド３０と、前管体４０と、後管体５０と、マスク６０と、遮蔽部７０と、２つのパッド１４と、を主に備える。
パンツ本体１０は、ウエストバンド１１及びウエストバンド１１に連接する２つの股下１２で構成され、且つ前記２つの股下１２の内側の隣接する箇所に位置されると共に前側面から後にかけて排泄に用いられるＵ型開口部１３が設けられる。股下１２は、右足もしくは左足が通される筒状の部位である。
ウエストバンド１１の前側及び後側には、それぞれ２本の前位置決めバンド２０及び２本の後位置決めバンド３０が設けられる。前位置決めバンド２０及び後位置決めバンド３０には前位置決め孔２１及び後位置決め孔３１が各々設けられ、且つ後位置決めバンド３０にはガイドリング３２（図４参照）が設置される。本実施形態では、前位置決め孔２１及び後位置決め孔３１は、ボタンホールであり、サスペンダーまたは衣服のボタン(図示せず)に結合させやすくなり、ウエストバンド１１を定位させる目的を達成させる。 
【００１１】
２本の前管体４０は、２本の前位置決めバンド２０の下方に対応するように設置され、前管体４０の上端４１がパンツ本体１０に縫い付けられて固定されると共に下端４２がＵ型開口部１３の前方の両側に位置される。下端４２は、作動中に持ち上げられた状態にすることも可能である。２本の後管体５０は、２本の後位置決めバンド３０の下方に対応するように設置され、後管体５０はパンツ本体１０に縫い付けられて固定される。本実施形態では、前管体４０及び後管体５０は布地で構成される股下である。
【００１２】
防水性を有するマスク６０は、弧状体に設けられ、その上端部６１がパンツ本体１０に縫い付けられて固定されると共に下端部６２がＵ型開口部１３の前方に位置される。下端部６２は、作動中に持ち上げられた状態にすることも可能である。マスク６０の弧状体の中間部にはアーチ体６３を有し、且つアーチ体６３の両側の底縁からは外に向けて翼部６４が対称に延伸され、且つマスク６０の幅がＵ型開口部１３より大きくなり、これにより、パンツ本体１０の前クロッチの位置が遮蔽される。本実施形態では、マスク６０の内縁はシリコン等の軟性材料で構成される防水層であり、外側面は布地で構成される表面層であるが、但しこれらに限定されない。
【００１３】
可動の柔らかい遮蔽部７０は、Ｕ型開口部１３の下方に対応するように設置され、柔らかい遮蔽部７０の前端には２本の弾性バンド７１が連結され、弾性バンド７１の自由端７１１は２本の前管体４０を挿通すると共に２本の前位置決めバンド２０に定位される。また、柔らかい遮蔽部７０の後端には２本のゴムバンド７２が連結され、ゴムバンド７２の自由端７２１は２本の後管体５０及び２本の後位置決めバンド３０のガイドリング３２を挿通する。ゴムバンド７２の自由端７２１がガイドリング３２を挿通した後、傾斜されて上に向けてウエストバンドの両側まで引かれて定位される(図６参照)。また、２本の弾性バンド７１が平常時にはマスク６０の両側の翼部６４に跨設されることにより、マスク６０が定位される。本実施形態では、柔らかい遮蔽部７０は布地で構成され、履いた際に不快感を感じさせない（図３参照）。
【００１４】
２つのパッド１４は、通気材質で構成され、パンツ本体１０の後側の臀部の位置に縫い付けられると共に柔らかい遮蔽部７０の両側に位置され、柔らかい遮蔽部７０の底縁にギャップ（Ｓ）が形成される。本実施形態では、パッド１４は通気材質で構成され、例えば、スポンジや通気性のシリコン等で構成される。履いた際に不快感がなく、且つ臀部がパッドにより持ち上げられることで、ギャップ（Ｓ）が形成される（図６参照）。
【００１５】
上記の技術構成により、２本のゴムバンド７２が後ろに引かれることにより、柔らかい遮蔽部７０がＵ型開口部１３から後ろに向けて移動され、パンツ本体１０が使用者が排泄が可能な状態を呈する。また、２本のゴムバンド７２が解放された後、２本の弾性バンド７１の弾力により、柔らかい遮蔽部７０が引かれて後から前に向けてＵ型開口部１３の下方に戻される。
【００１６】
本実施形態では、前位置決めバンド２０には調整用締め付けリング２２が更に設置され、弾性バンド７１の自由端７１１が貫装されて定位され、且つ弾性バンド７１の締め付け具合が調整される。なお、図４、図４Ａ及び図５、図６に示すように、ゴムバンド７２の自由端７２１にはバインダークリップ８０が更に設置される。バインダークリップ８０は、位置決め布７３に固定され、位置決め布７３は面ファスナー７３１またはボタンホール７３２により使用者の衣服の両側に固定される。バインダークリップ８０は、上が広く下が狭くなると共に開口部８１１が下に向けられる弾性クリップ８１を有し、且つ弾性クリップ８１の中間幅広部には貫通孔８２が設けられる。貫通孔８２には、ゴムバンド７２が挿通され、弾性クリップ８１の弾性挟持力によりゴムバンド７２が挟まれて固定される。
２つのハンドル８３は弾性クリップ８１の外側に対称に設置され、その上方が内に向けて圧縮されると弾性クリップ８１の開口部８１１が開かれ、ゴムバンド７２に対する挟持力が解除される。本実施形態では、バインダークリップ８０は従来の文具であり、本考案ではその構造に弾性クリップ８１の中間幅広部に貫通孔８２が更に設けられて、ゴムバンド７２が挿通されることにより、ゴムバンド７２が上に向けて引くことはできても下に脱落されることはなくなり、２つのハンドル８３が圧縮されることにより弾性クリップ８１の開口部８１１が開かれ、これにより、使用上非常に便利で実用的になる。
【００１７】
前術の構成に基づき、本考案の使用方式及び以下の効果について説明する。
１．まず、図３に示すように、平常時では、マスク６０及び柔らかい遮蔽部７０はクロッチの前側及び底部にそれぞれ位置し、マスク６０の上端部６１がパンツ本体１０に縫い付けられて固定されている。下端部６２はＵ型開口部１３の前方に位置し、マスク６０が防水性材質で構成されることにより、ズボンの尿濡れ防止機能を有する。さらに、弧状体に設けられて尿が下に向けて導かれるようになり、且つ図３Ａに示すように、マスク６０の両側の翼部６４が弾性バンド７１から引き出されるため、下端部６２が持ち上げられて内縁面が拭かれ、常に清潔な衛生状態及び快適性が保たれる。
【００１８】
２．図４、図４Ａ及び図５、図６に示すように、平常時は、可動の柔らかい遮蔽部７０がＵ型開口部１３の下方に位置される。一方、使用者が排尿、排便を行う場合、ゴムバンド７２の自由端７２１が上に向けて引かれ、柔らかい遮蔽部７０が連動されてＵ型開口部１３から後ろに向けて移動される。この時、図５に示すように、パンツ本体１０は、使用者が排泄を行える状態となる。ゴムバンド７２の自由端７２１がガイドリング３２を経由させた後、傾斜されて上に向けてウエストバンドの両側まで引かれて定位されると、バインダークリップ８０の弾性クリップ８１の挟持力により固定され、柔らかい遮蔽部７０が前側の弾性バンド７１により引き戻されるのを防止する。なお、排尿、排便が完了した後、バインダークリップ８０のハンドル８３が圧縮されると、弾性クリップ８１の開口部８１１が開かれ、ゴムバンド７２に対する挟持力が解除される。この際、前側の弾性バンド７１の弾力により柔らかい遮蔽部７０がＵ型開口部１３の下方まで引き戻される。本考案に係るパンツ本体１０の後側の臀部の位置には２つのパッド１４が設置されることにより、柔らかい遮蔽部７０の底縁にギャップ（Ｓ）が形成される。これにより、使用者が車椅子のシート９１に座っても柔らかい遮蔽部７０が圧迫されず、Ｕ型開口部１３の下方でスムーズに移動される（図６参照）。
【００１９】
３．本考案は主に、図１Ａ乃至図１Ｃに示す排尿、排便が可能な車椅子９０またはベッド１００に組み合わせられるが、但し、排尿、排便が可能な車椅子９０またはベッド１００の技術は先行技術にあたり、且つ本考案者も別に特許出願を行っており、よって、本案の請求範囲に含まれず、その構造については詳述を省く。図７は本考案が車椅子に使用される状態図である。使用者がパンツ本体１０を履いて排尿、排便が可能な車椅子９０のシート９１に座ると、Ｕ型開口部１３が排泄用孔９２及び収容部９３に位置されつつ、マスク６０及び柔らかい遮蔽部７０により下肢が隠されるため、人に見られる心配がなく、家族または看護者が柔らかい遮蔽部７０を引くのみで、患者が排尿、排便が可能な車椅子９０の上で排尿、排便を行える。他人に抱えられてトイレに行く必要がないため非常に便利である。また、図８は本考案が排尿、排便が可能なベッドに使用される状態図である。実用性、利便性、及び車椅子９０で使用される点は同じであるため、詳述は省く。
【００２０】
総合すると、上述の技術手段により、本考案は病人、老人、または介護者により多くの利便性を提供し、患者の尊厳が守られ、利便性も向上する。また、看護者や家族にとっても負担が軽減し、人に優しい設計を有する介護パンツとなる。
【００２１】
以上、本考案の実施形態について図面を参照して詳述したが、具体的な構成はこの実施形態に限られるものではなく、本考案の要旨を逸脱しない範囲の設計変更等も含まれる。
【符号の説明】
【００２２】
１０  パンツ本体
１１  ウエストバンド
１２  股下
１３  Ｕ型開口部
１４  パッド
２０  前位置決めバンド
２１  前位置決め孔
２２  調整用締め付けリング
３０  後位置決めバンド
３１  後位置決め孔
３２  ガイドリング
４０  前管体
４１  上端
４２  下端
５０  後管体
６０  マスク
６１  上端部
６２  下端部
６３  アーチ体
６４  翼部
７０  柔らかい遮蔽部
７１  弾性バンド
７１１  自由端
７２  ゴムバンド
７２１  自由端
７３  位置決め布
７３１  面ファスナー
７３２  ボタンホール
８０  バインダークリップ
８１  弾性クリップ
８１１  開口部
８２  貫通孔
８３  ハンドル
９０  車椅子
９１  シート
９２  排泄用孔
９３  収容部
１００  ベッド
（Ｓ）  ギャップ
【図１Ａ】
0003208916.tif 000003
【図１Ｂ】
0003208916.tif 000004
【図１Ｃ】
0003208916.tif 000005
【図２Ａ】
0003208916.tif 000006
【図２Ｂ】
0003208916.tif 000007
【図３】
0003208916.tif 000008
【図３Ａ】
0003208916.tif 000009
【図４】
0003208916.tif 000010
【図４Ａ】
0003208916.tif 000011
【図５】
0003208916.tif 000012
【図６】
0003208916.tif 000013
【図７】
0003208916.tif 000014
【図８】
0003208916.tif 000015